(57)【要約】【課題】不使用状態になってから譲渡又は廃棄するまでの時間が個々に異なる場合でも、個人情報を適切に消去することのできるデジタルテレビ受像機を提供する。【解決手段】不揮発性メモリ１と、不揮発性メモリに対して、外部から個人情報の書き込みが可能な個人情報書込手段２とを有するデジタルテレビ受像機において、無入力検出手段３はＲＦ信号が無入力状態になったことを検出し、消去時間設定手段４によって個人情報を消去するまで時間を外部から設定すると、個人情報消去手段６ＡからＲＦ信号の無入力状態が検出されてからの時間を計測し、無入力状態の継続時間が設定された個人情報を消去するまでの保存時間を超えたとき、不揮発性メモリに書き込まれた個人情報を消去する。【選択図】図１
2007324891.tif 000002
【特許請求の範囲】
【請求項１】
不揮発性メモリと、前記不揮発性メモリに視聴履歴を少なくとも含む利用者の個人情報を書き込む個人情報書込手段とを有するデジタルテレビ受像機において、
ＲＦ信号が無入力状態になったことを検出する無入力検出手段と、
前記無入力状態が検出された時点から前記個人情報を消去するまでの個人情報保存時間を外部から設定する消去時間設定手段と、
前記無入力状態が検出された時点からの無入力状態継続時間を計測し、この計測した無入力状態継続時間が前記個人情報保存時間を超えたことを検出したとき、前記不揮発性メモリに書き込まれている前記個人情報を消去する個人情報消去手段と、
を備えたことを特徴とするデジタルテレビ受像機。
【請求項２】
不揮発性メモリと、前記不揮発性メモリに視聴履歴を少なくとも含む利用者の個人情報を書き込む個人情報書込手段と、主電源用の交流電源と待機電源用の電池とを切り換える電源切換手段とを有するデジタルテレビ受像機において、
ＲＦ信号が無入力状態になったことを検出する無入力検出手段と、
前記電源切換手段が電源を電池に切り換えているときに前記無入力状態が検出された時点から前記個人情報を消去するまでの個人情報保存時間を外部から設定する消去時間設定手段と、
前記電源切換手段が電池に切り換えているときに前記無入力状態が検出された時点からの無入力状態継続時間を計測し、この計測した無入力状態継続時間が前記個人情報保存期間を超えたことを検出したとき、前記不揮発性メモリに書き込まれている前記個人情報を消去する個人情報消去手段と、
を備えたことを特徴とするデジタルテレビ受像機。
【発明の詳細な説明】
【技術分野】
【０００１】
本発明は、郵便番号や視聴履歴などの個人情報の書き込み及びその消去機能を備えたデジタルテレビ受像機に関する。
【背景技術】
【０００２】
デジタルテレビ受像機は、郵便番号や視聴履歴などの個人情報を書き込む機能と、他人に譲渡したり、又は廃棄したりする際にこれらの個人情報を消去する機能とを備えている。図８はこの種の従来のデジタルテレビ受像機の構成を示すブロック図であり、特に、個人情報の保存及びこれに関連するメッセージを表示する部分を示している。図８において、デジタルテレビ受像機１１０は、入力端子１１１と、マイクロコンピュータ（図面ではマイコンと略記し、以下、マイコンと略称する）１１３と、不揮発性ＲＡＭ１１４と、テレビ画面１１５と、リモコンセンサ１１６とを備えている。このうち、マイコン１１３は、交流電源（図面ではＡＣ電源と略記し、以下、ＡＣ電源と略称する）１２１から動作電力を得て、ＲＦ信号やビデオ信号などの入力信号１２２を、入力端子１１１を介して受信し、これらの信号を処理する。また、マイコン１１３は、リモコンセンサ１１６を介してリモコン１２３から送信された信号を受信し、この信号を解析して処理をする。不揮発性ＲＡＭ１１４は、個人情報などを保存するもので、マイコン１１３がそのデータを読み書きする。テレビ画面１１５は、マイコン１１３からのメッセージを表示するものである。ここで、ＲＦ信号とはテレビの全チャンネルを含む無線周波数信号であり、ビデオ信号とはＶＴＲなどで再生された信号を含み、画像を表示するために利用される映像信号である。
【０００３】
図９は上述のように構成されたデジタルテレビ受像機において、ユーザが個人情報を消去する場合のマイコン１１３の処理手順の一例を示したフローチャートであり、以下、このフローチャートにしたがって概略動作を説明する。デジタルテレビ受像機１１０に電源が投入されると、ステップＳ１３１で定常処理のループに入る。次に、ステップＳ１３２でリモコン１２３から送信されたリモコン信号をリモコンセンサ１１６が受信したか否かを判定し、受信していない場合にはステップＳ１３５の処理に進む。
【０００４】
一方、ステップＳ１３２でリモコン信号を受信したと判定した場合には、ステップＳ１３３で、図１０に示すように、個人情報リセットの問い合わせを行うメニュー画面をテレビ画面１１５に表示し、ユーザのリモコン操作により、個人情報を消去する機能（メニュー）が選択されたか否か、あるいは、他の機能が選択されたかを判定する。そして、個人情報を消去する機能が選択されたと判定した場合には、ステップＳ１３４で不揮発性ＲＡＭ１１４に書き込まれた個人情報を消去してステップＳ１３５の処理に進み、他のメニューが選択されたと判定した場合には直接ステップＳ１３５の処理に進む。ステップＳ１３５においては、マイコン１１３の定常処理のループから抜けたとき、一連の処理を終了する。
【０００５】
個人情報の消去処理は、デジタルテレビ受像機を他人に譲渡したり、又は廃棄したりする際に、第三者が悪用することを防止するために極めて重要な処理であるが、リモコン１２３を紛失してしまうとその消去処理ができなくなる。また、他人に譲渡したり、又は廃棄したりする際に、個人情報を消去することを忘れることも有り得る。
【０００６】
このことに類似する対策の１つとして、記録担体に記録された個人情報を消去する技術が提案されている（例えば、下記の特許文献１参照）。この技術は、個人情報の一種である指紋捺印部に捺印された指紋と、あらかじめ格納してある登録指紋パターンとを照合して本人の認証を行う指紋認証カードにおいて、所定時間経過後に指紋を自動消去するというものである。この技術を応用すれば、消去処理が不可能になった場合や、消去を忘れた場合でも個人情報が適切に消去されるため、個人情報が残ったままで第三者に悪用されることもなくなると考えられる。
【特許文献１】特開２０００−７６４１２号公報（要約）
【発明の開示】
【発明が解決しようとする課題】
【０００７】
しかしながら、特許文献１に記載された従来技術は、指紋認証カードを使用した後、短時間で指紋を消去してしまうため、不使用状態になってから譲渡又は廃棄するまでの時間が個々に異なるデジタルテレビ受像機に、この従来技術を適用することは難しいという問題があった。
【０００８】
本発明は、上記の問題点を解決するためになされたもので、不使用状態になってから譲渡又は廃棄するまでの時間が個々に異なる場合でも、個人情報を適切に消去することのできるデジタルテレビ受像機を提供することを目的とする。
【課題を解決するための手段】
【０００９】
上記の目的を達成するために、本発明は、不揮発性メモリと、前記不揮発性メモリに視聴履歴を少なくとも含む利用者の個人情報を書き込む個人情報書込手段とを有するデジタルテレビ受像機において、
ＲＦ信号が無入力状態になったことを検出する無入力検出手段と、
前記無入力状態が検出された時点から前記個人情報を消去するまでの個人情報保存時間を外部から設定する消去時間設定手段と、
前記無入力状態が検出された時点からの無入力状態継続時間を計測し、この計測した無入力状態継続時間が前記個人情報保存時間を超えたことを検出したとき、前記不揮発性メモリに書き込まれている前記個人情報を消去する個人情報消去手段と、
を備えたことを特徴とする。
【００１０】
また、本発明は、不揮発性メモリと、前記不揮発性メモリに視聴履歴を少なくとも含む利用者の個人情報を書き込む個人情報書込手段と、主電源用の交流電源と待機電源用の電池とを切り換える電源切換手段とを有するデジタルテレビ受像機において、
ＲＦ信号が無入力状態になったことを検出する無入力検出手段と、
前記電源切換手段が電源を電池に切り換えているときに前記無入力状態が検出された時点から前記個人情報を消去するまでの個人情報保存時間を外部から設定する消去時間設定手段と、
前記電源切換手段が電池に切り換えているときに前記無入力状態が検出された時点からの無入力状態継続時間を計測し、この計測した無入力状態継続時間が前記個人情報保存期間を超えたことを検出したとき、前記不揮発性メモリに書き込まれている前記個人情報を消去する個人情報消去手段と、
を備えたことを特徴とする。
【発明の効果】
【００１１】
本発明においては、個人情報を消去するまでの保存時間を外部から設定する手段を備え、ＲＦ信号が無入力状態になってからの経過時間、又は、交流電源が電池に切り換えられ、かつ、ＲＦ信号が無入力状態になってからの経過時間が、外部設定された保存時間を超えたとき、個人情報を自動的に消去するので、不使用状態になってから譲渡又は廃棄するまでの時間が個々に異なる場合でも、個人情報を適切に消去することのできるデジタルテレビ受像機が提供される。
【発明を実施するための最良の形態】
【００１２】
以下、本発明を図面に示す好適な実施の形態に基づいて詳細に説明する。
＜第１の実施の形態＞
図１は本発明に係るデジタルテレビ受像機の第１の実施の形態の構成を示すブロック図である。図１において、不揮発性メモリ１には、個人情報書込手段２によって個人情報が書き込まれる。ここでの個人情報とは、ユーザの視聴履歴、郵便番号、居住地区の設定情報、番組検索のための嗜好情報、住所、氏名、個人のメモなど、ユーザ情報を書き込む機能によってユーザが書き込んだ情報のことである。
【００１３】
無入力検出手段３はＲＦ信号又はビデオ信号が無入力状態になったことを検出するものであり、消去時間設定手段４は個人情報を消去するまでの保存時間を外部から設定するものである。個人情報消去手段６Ａは無入力検出手段３によってＲＦ信号又はビデオ信号の無入力状態が検出されてからの時間を計測し、無入力状態の継続時間が消去時間設定手段４に設定された保存時間を超えたとき、不揮発性メモリ１に書き込まれた個人情報を消去する。
【００１４】
無入力検出手段３で行われる無入力状態検出は、入力信号がＲＦ信号の場合とビデオ信号とではその具体的な検出方法が異なる。例えば、ビデオ信号の場合は、信号レベルのピーク値を検波し、この検波信号のレベルが規定値以上か否かで無入力状態を検出することが可能である。一方、ＲＦ信号の場合は、あらかじめＲＦ信号が存在していることが分かっているチャンネルを定期的に選局して、所定信号が得られるか否かで無入力状態を検出することが可能である。なお、上記検出方法は一例であり、無入力状態を検出できる方法であれば他のどのような方法を用いてもよい。また、検出はそれぞれ専用のケーブルが接続されている状態で行うことを前提とする。また、この検出処理はＡＣ電源又はバッテリ、いずれの電源でも行えることを前提とする。
【００１５】
図２は本発明に係るデジタルテレビ受像機の具体的な構成例を示すブロック図であり、特に、個人情報の保存及びこれに関連するメッセージを表示する部分を示している。図２において、デジタルテレビ受像機１０は、入力端子１１と、ケーブル接続確認処理部１２と、マイクロコンピュータ（図面ではマイコンと略記し、以下マイコンと略称する）マイコン１３と、不揮発性メモリとしての不揮発性ＲＡＭ１４と、テレビ画面１５と、リモコンセンサ１６と、バッテリ１７と、電源切換装置１８とを備えている。ここで、マイコン１３は、交流電源（図面ではＡＣ電源と略記する）２１又はバッテリ１７から動作電力の供給を受けて動作するもので、入力端子１１及びケーブル接続確認処理部１２を介して、ＲＦ信号やビデオ信号などの入力信号２２を受信してこれらの信号を処理する。ケーブル接続確認処理部１２はデジタルテレビ受像機１０が接続されるケーブルの接続状況を確認するもので、マイコン１３はその接続確認情報を受けて処理を開始する。また、マイコン１３は、リモコンセンサ１６を介して、リモコン２３から送信された信号を受信し、この信号を解析して処理をする。不揮発性ＲＡＭ１４は、個人情報などを保存することを可能にするもので、リモコン２３の指示に応じてマイコン１３がそのデータを読み書きする。テレビ画面１５は、マイコン１３からのメッセージを表示するものである。
【００１６】
上記のように構成されたデジタルテレビ受像機の動作のうち、特に、個人情報を消去する場合の動作について、マイコン１３の処理手順の一例を示す図３のフローチャートに従って、図４の表示画面例をも参照して以下に説明する。デジタルテレビ受像機１０にＡＣ電源２１が接続された状態で、ＲＦ信号やビデオ信号などの入力信号がなくなると、ステップＳ３１で入力信号がない間の処理のループに入り、ステップＳ３２で時間計測用のカウンタの値を進める。次に、ステップＳ３３で時間計測用のカウンタの計数値が、ユーザによって設定された設定値、すなわち、個人情報を消去するまでの保存時間に対応する設定値を超えたか否かを判定し、超えていないと判定すれば、ステップＳ３４で入力信号がない間の処理のループを繰り返す。一方、ステップＳ３３で時間計測用のカウンタの計数値が設定値を超えたと判定した場合にはステップＳ３５で不揮発性ＲＡＭ１４に書かれた個人情報を消去し、続いてステップＳ３６で個人情報を消去したことをテレビ画面１５上に表示する。図４はテレビ画面１５上に表示したメッセージの一例である。
【００１７】
以上の説明から明らかなように、本発明の第１の実施の形態によれば、入力信号がない状態になってから個人情報を消去するまでの保存時間を、リモコン２３を用いて設定すれば、設定された時間の経過時に個人情報が適切に消去される。
【００１８】
＜第２の実施の形態＞
上述した第１の実施の形態は、図２に示したデジタルテレビ受像機１０が主電源としてのＡＣ電源２１に接続されたまま、ＲＦ信号やビデオ信号などが長時間にわたって入力されず、その状態が設定された保存時間を超えたときに個人情報を消去する場合の例である。
【００１９】
このデジタルテレビ受像機１０はバッテリ１７及び電源切換装置１８を備えており、主電源がＯＦＦ（オフ）とされた場合は、電源切換装置１８によって電源をＡＣ電源２１からバッテリ１７へ切り換える。バッテリ１７は、デジタルテレビ受像機１０が主電源ＯＦＦの間に動作する必要のある処理、例えばＥＰＧ情報取得処理などを行うための電源である。
【００２０】
デジタルテレビ受像機１０が主電源ＯＦＦとなっておりバッテリ１７から駆動電力が供給されている状態のときは、主電源がＯＮ（オン）となっておりＡＣ電源２１から駆動電力が供給されている状態のときよりも、無入力状態になってから個人情報を消去するまでの保存時間を長くしておく必要性がある。
【００２１】
第２の実施の形態は上記を鑑みたものであり、バッテリ１７から駆動電力が供給されており、かつ、無入力状態となった場合の保存時間を設定し、設定時間の経過時に個人情報を消去する例である。
【００２２】
図５は本発明に係るデジタルテレビ受像機の第２の実施の形態の構成を示すブロック図である。図５において、不揮発性メモリ１には、個人情報書込手段２によって、ユーザの郵便番号や視聴履歴などの個人情報が書き込まれる。無入力検出手段３はＲＦ信号又はビデオ信号が無入力状態になったことを検出するものであり、消去時間設定手段４は個人情報を消去するまでの保存時間を外部から設定するものである。個人情報消去手段６Ｂは、電源切換手段５によってＡＣ電源がバッテリに切り換えられているときに、無入力検出手段３によってＲＦ信号又はビデオ信号の無入力状態が検出された場合、その検出された時点からの無入力状態継続時間が消去時間設定手段４で設定された個人情報を消去するまでの保存時間を超えたとき、不揮発性メモリ１に書き込まれた個人情報を消去する。
【００２３】
図５に示した第２の実施の形態に対応するデジタルテレビ受像機の具体的な構成については、図２のブロック図を用いて説明したものと同一であるのでそれらの説明を省略し、特に、個人情報を消去する場合の動作について、マイコン１３の処理手順の一例を示す図６のフローチャートに従って、図４の表示画面例を参照して以下に説明する。
【００２４】
まず、ステップＳ４１で、電源切換装置１８がマイコン１３を含めた装置全体の電源経路をＡＣ電源２１からバッテリ１７に切り換えると、ステップＳ４２でＡＣ電源２１から電力が供給されていない間の処理のループに入る。そして、ステップＳ４３でＲＦ信号やビデオ信号などの入力信号が有るか否かを判定し、入力信号が有る場合にはステップＳ４４で入力信号有りに対応する所定の処理のループを繰り返させる。一方、ステップＳ４３で入力信号が無いと判定された場合にはステップＳ４５で時間計測用のカウンタの値を進める。次に、ステップＳ４６で時間計測用のカウンタの計数値が、ユーザによって設定された設定値、すなわち、個人情報を消去するまでの保存時間に対応する設定値を超えたか否かを判定し、超えていないと判定すれば、ステップＳ４４でＡＣ電源２１から電力が供給されていない間の処理のループを繰り返す。一方、ステップＳ４６で時間計測用のカウンタの計数値が設定値を超えたと判定した場合にはステップＳ４７で不揮発性ＲＡＭ１４に書かれた個人情報を消去し、続いてステップＳ４８で個人情報を消去したことをテレビ画面１５上に表示する。図４はテレビ画面１５上に表示したメッセージの例である。
【００２５】
以上の説明から明らかなように、本発明の第２の実施の形態によれば、主電源がＯＦＦとされ、かつ、入力信号がない状態、すなわち、不使用状態になってから個人情報を消去するまでの保存時間を、リモコン２３を用いて設定すれば、設定された時間の経過時に個人情報が適切に消去される。
【００２６】
ところで、第１の実施の形態及び第２の実施の形態として説明した機能を搭載するにあたり、テレビの設置位置を変更したり、テレビの譲渡や廃棄以外でも一時的に電源を遮断したり、あるいは入力信号の無い状態にしたりする場合があり、これらの各場合に個人情報が消去されないようにする必要がある。図７はユーザがテレビの画面を見て設定操作するメニューの一例である。まず、個人情報を自動消去に設定するか否かを「個人情報自動消去」欄にＯＮ／ＯＦＦで設定する。この設定がＯＮであれば下段の「無信号時」「電源ＯＦＦ時」の各欄に設定される保存時間が有効となる。「無信号時」欄に設定される時間が本発明の第１の実施の形態の保存時間であり、「電源ＯＦＦ時」欄に設定される時間が本発明の第２の実施の形態の保存時間である。このようなメニュー画面を用いて、それぞれの場合の自動消去までの保存時間の入力とを行うだけで、各種の状況に対応することができる。
【図面の簡単な説明】
【００２７】
【図１】本発明に係るデジタルテレビ受像機の第１の実施の形態の構成を示すブロック図である。
【図２】本発明の具体的な構成例を示すブロック図である。
【図３】本発明の第１の実施の形態を構成するマイクロコンピュータの処理手順の一例を示すフローチャートである。
【図４】本発明の第１の実施の形態の動作を説明するための表示画面例である。
【図５】本発明に係るデジタルテレビ受像機の第２の実施の形態の構成を示すブロック図である。
【図６】本発明の第２の実施の形態を構成するマイクロコンピュータの処理手順の一例を示すフローチャートである。
【図７】本発明の機能を搭載するにあたり、外部から設定操作するメニューの一例を示した表示画面例である。
【図８】従来のデジタルテレビ受像機の構成を示すブロック図である。
【図９】図８に示したデジタルテレビ受像機において、ユーザが個人情報を消去する場合のマイクロコンピュータの処理手順の一例を示したフローチャートである。
【図１０】図８に示したデジタルテレビ受像機において、個人情報リセットの問い合わせを行うメニュー画面例である。
【符号の説明】
【００２８】
１  不揮発性メモリ
２  個人情報書込手段
３  無入力検出手段
４  消去時間設定手段
５  電源切換手段
６Ａ、６Ｂ  個人情報消去手段
１０  デジタルテレビ受像機
１３  マイクロコンピュータ（マイコン）
１４  不揮発性ＲＡＭ（不揮発性メモリ）
１５  テレビ画面
１７  バッテリ
１８  電源切換装置
２１  ＡＣ電源（交流電源）
２２  ＲＦ信号又はビデオ信号
【図１】
2007324891.tif 000003
【図２】
2007324891.tif 000004
【図３】
2007324891.tif 000005
【図４】
2007324891.tif 000006
【図５】
2007324891.tif 000007
【図６】
2007324891.tif 000008
【図７】
2007324891.tif 000009
【図８】
2007324891.tif 000010
【図９】
2007324891.tif 000011
【図１０】
2007324891.tif 000012